(57)【要約】【課題】車両の入れ替えを必要としない立体駐車装置としてや、倉庫業務ならびに商業店舗施設などの枠体構造物の立体入れ替え装置として多目的に利用できるピロティ型の立体格納装置の提供を図る。【解決手段】立体収納庫と、垂直昇降機構と、水平搬送装置と、搬送パレットと、から成る少なくとも二階以上の立体格納装置であって、前記立体収納庫は、格納スペース庫の床部空間位置に水平搬送装置を備えて成り、前記垂直昇降機構は、昇降駆動装置と昇降リフト装置を備えて前記立体収納庫の前面にガイド支柱体を双設して成り、前記搬送パレットが前記格納スペース庫と前記昇降リフト装置との間を前記水平搬送装置によってスライド移動する手段を採用した。【選択図】図１
2009180081.tif 000002
【特許請求の範囲】
【請求項１】
立体収納庫と、垂直昇降機構と、水平搬送装置と、搬送パレットと、から成る少なくとも二階以上の立体格納装置であって、前記立体収納庫は、格納スペース庫の床部空間位置に水平搬送装置を備えて成り、前記垂直昇降機構は、昇降駆動装置と昇降リフト装置を備えて前記立体収納庫の前面にガイド支柱体を双設して成り、前記搬送パレットが前記格納スペース庫と前記昇降リフト装置との間を前記水平搬送装置によってスライド移動することを特徴とする立体格納装置。
【請求項２】
前記垂直昇降機構が、吊持式の昇降駆動装置と、該吊持式の昇降駆動装置に吊持される吊持式の昇降リフト装置または吊りゴンドラと、から成ることを特徴とする請求項１記載の立体格納装置。
【請求項３】
前記昇降リフト装置内に前記水平搬送装置を設けたことを特徴とする請求項１記載および請求項２記載の立体格納装置。
【請求項４】
前記立体格納装置が立体駐車装置であることを特徴とする請求項１記載から請求項３記載の立体格納装置。
【請求項５】
前記立体格納装置が枠体構造物の立体入れ替え装置であることを特徴とする請求項１記載から請求項３記載の立体格納装置。
【発明の詳細な説明】
【技術分野】
【０００１】
本発明は、車両や枠体構造物を格納する立体格納装置に関する。
【背景技術】
【０００２】
現在、機械式の立体駐車装置としては、多段昇降式、地下式、循環タワー式、エレベータ式などが一般的に普及している。
【０００３】
従来の多段昇降式は、「立体駐車装置」（特許文献１）などを始めとして多数提案されているが、それらの提案は、主に平床昇降式と片持ち昇降式の二種類があり、マンションや家庭用の立体駐車装置として広く普及している。小型・軽量で低価格である上、設置工事が容易である反面、上の階の車両の出し入れ際に一階の車両を入れ替えなければならない不便さがあった。
【０００４】
また、格納車両を一時回避するスペースを設けて出し入れするタイプは、車両を駐車するスペースと一時回避するスペースを装置内外のいづれかに設ける必要があるため、大型、小型に係らず設置床面スペースを有効に活用できない問題点があった。
【０００５】
また、格納車両を前後または左右にスライドさせるスライド式の立体駐車装置は、「立体駐車装置」（特許文献２）などを始めとして多数提案されているが、それらの提案は、上記同様、装置内外にスライドさせるスペースを必要とするため、高層化ができない構造であった。
【０００６】
また、地下式の立体駐車装置は、「地下型立体駐車装置」（特許文献３）などを始めとして多数提案されているが、それらの提案は、地下工事を施工し、立体駐車装置自体を地下と地上の間を昇降させることによって車両を出し入れするものであることから、入出庫装置が必要なく、車両の入れ替えも必要としない多くの長所はあるが、地下工事の施工費用が全体の設置費用に対してコスト高になりがちであることと、地上と地下の空間容積を同時に確保する必要があるため、比較的小規模な商業ビルの立体駐車装置として利用されるもので大型あるいは高層の立体駐車装置には不向きであった。
【０００７】
また、駐車スペース自体を観覧車式に回転させる循環式の立体駐車装置は、「細長型立体駐車装置」（特許文献４）などを始めとして多数提案されているが、それらの提案は、多数の車両を載せた駐車スペース庫を一度に駆動回転させることから大型の駆動装置を必要とし、さらにチェーン送り機構を採用していることから車両の入れ替え時間が多大になる。また、大規模の床面積を必要とすることから装置自体の構造の複雑化と重量増を招くと共に、製造ならびに設置費用がコスト高になっていた。
【０００８】
また、搬出入リフトが格納車両のところまで移動して出し入れするエレベータ式の立体駐車装置は、「エレベータ方式立体駐車装置」（特許文献５）などを始めとして多数提案されているが、それらの提案は、上記の循環するタイプと比較してワイヤロープ吊時機構を採用しているため、入れ替え時間は大幅に短縮されるが、大規模の床面積を必要とすることから、上記程ではないが、装置自体の構造の複雑化と重量増を招くと共に、製造ならびに設置費用がコスト高になる問題は解決されていない。
【０００９】
また、車両収納庫の前面に装設されたリフト機構によって自走による入出庫を行う垂直昇降式の立体駐車装置は、「立体駐車装置」（特許文献６）が提案されているが、該提案は、単にリフト機構によって車両を自走で車両収納庫へ誘導するもので、垂直移動時に運転者の同乗を必要とし、さらに駐車階において運転者によって自走で駐車位置まで運転しなくてはならず、さらに駐車階から運転者が降りて来なくてはならないことや、出庫時に車両搭載台に自走で乗入れる構造は、転落事故につながる可能性があるもので、利用者の利便性と安全性を無視した提案である。
【特許文献１】特許公開平６―９３４７０号公報
【特許文献２】実用新案公開平６―６５５６５号公報
【特許文献３】実用新案公開平６―７８５３１号公報
【特許文献４】特許公開平１０―３３１４７０号公報
【特許文献５】特許公開平１０―２２７１４２号公報
【特許文献６】特許公開平７―２９３０２７号公報
【発明の概要】
【発明が解決しようとする課題】
【００１０】
本発明は、上記問題点を鑑み、家庭用から高層マンションやビル用の車両の入れ替えを必要としない立体駐車装置としてのみならず、倉庫ならびに商業店舗などの枠体構造物の立体的な入れ替え装置として一階床面スペースを多目的に利用できるピロティ型の立体格納装置の提供を目的とする。
尚、本文中で使われるピロティとは、二階以上の建築物において地上部分が、柱（構造体）を残して外部空間とした建築形式を表すもので、本発明においては、昇降リフト装置の昇降移動空間部を覆う外壁部を指すものである。
【課題を解決するための手段】
【００１１】
上記目的を達成するため、請求項１記載の発明においては、立体収納庫と、垂直昇降機構と、水平搬送装置と、搬送パレットと、から成る少なくとも二階以上の立体格納装置であって、前記立体収納庫は、格納スペース庫の床部空間位置に水平搬送装置を備えて成り、前記垂直昇降機構は、昇降駆動装置と昇降リフト装置を備えて前記立体収納庫の前面にガイド支柱体を双設して成り、前記搬送パレットが前記格納スペース庫と前記昇降リフト装置との間を前記水平搬送装置によってスライド移動する手段を採用した。
【００１２】
また、請求項２記載の発明においては、垂直昇降機構が、昇降駆動装置と該昇降駆動装置に吊持される吊持式の昇降リフト装置または吊りゴンドラとから成る手段を採用した。
【００１３】
また、請求項３記載の発明においては、昇降リフト装置内に水平搬送装置を設けた手段を採用した。
【００１４】
また、請求項４記載の発明においては、立体格納装置を立体駐車装置とした手段を採用した。
【００１５】
また、請求項５記載の発明においては、立体格納装置を枠体構造物の立体入れ替え装置とした手段を採用した。
【発明の効果】
【００１６】
請求項１記載の本発明によれば、一階床面積をフリースペースとして有効利用することができるピロティ型の立体格納装置の提供が図られる。特にマンションや店舗などの通路として利用することができると共に、駐車場、一般住宅、工場、倉庫、一時保管場や、大型施設や高層ビルとの併設も可能とする優れた効果が得られる。
【００１７】
請求項２記載の本発明によれば、高層立体駐車装置に適した構造で、昇降リフト装置または吊りゴンドラ仕様にすることで、昇降駆動装置のワイヤが高速で巻き取られるため、車両の入れ替え時間を大幅に短縮することができる優れた効果が得られる。
【００１８】
請求項３記載の本発明によれば、昇降リフト装置内に水平搬送装置を設けることによって、駆動源の設置数が昇降駆動装置の昇降駆動モータの一基と昇降リフト装置内のシリンダ一基の最小個数で構成することができるため、従来型と比べて極めて簡単構造の立体格納装置となる。製造コストの低廉ならびに構造の簡素化、軽量化が図られる優れた効果が得られる。
【００１９】
請求項４記載の本発明によれば、基本構造を同じくして、大小を問わず一般住宅や大型施設や高層ビルとの併設も可能であることや、車両の入れ替えを必要としないことや、一階を駐車場管理室やビル管理室として利用することができると共に、図４（ｂ）で示すように、本装置全体を幅広の重列駐車仕様にすることによって、効率よい立体重列駐車装置としても利用できる優れた効果が得られる。
【００２０】
請求項５記載の本発明によれば、トランクルーム型の立体倉庫としての利用する場合を例に採ると、温度管理別や在庫商品別の出し入れが容易にできることや、不使用時に上の階に上昇させて保管・管理することができる優れた効果が得られる。
【００２１】
また、トランクルーム型の店舗の一日の営業時間帯別に利用する場合を例に採ると、小規模店舗経営者（店舗オーナー）が複数の異業種を時間帯別に営業することができる形態を選択できる。例えば、早朝はコーヒーショップ、午前中は本業務、お昼休みは弁当屋、午後は本業務、夜はレストラン、深夜はショットバーなどトランクルーム型の店舗をその商業地域の出店事情に合わせて入れ替えることができるため、多彩な異業種の店舗営業を可能とするもので、客足不足に悩む個人商店の売り上げ向上に活用できる優れた効果が得られる。
【００２２】
また、トランクルーム型の店舗を業種別に利用する場合を例に採ると、複数の小規模店舗経営者（店子オーナー）が複数の異業種を同時間に営業することができる形態を選択できる。業種別のトランクルーム型の店舗を各階に配置して側面に階段を設けることによって、多様な異業種の店舗経営が可能となる。例えば一階はスタンドバー、二階は居酒屋、三階はマージャン店、四階はカラオケボックスなどの多様な業種の同時営業が可能なると共に、倉庫と店舗と駐車場を複合的に併設することも可能とするものである。さらに、従来は、テナント入居する際、営業形態に合わせた居抜き工事が必要であったが、トランクルーム型の店舗を業種別の標準仕様モデルとして事前に製造ならびに改装することができることによって、即日入居、即日退去が可能になり、貸主の家賃収入の効率化が図れる。また、入居者にとっても、開店準備が開店スケジュールに合わせて開店以外の場所で行うことができる上、店舗内装デザインを時間を掛けながらじっくり検討できる利点がある。一方、車や住宅販売と同じように業種別仕様のトランクルーム型の店舗の製造・販売・下取り商法が新たに生まれることによって、開業リスクの少ないレンタル形態を含めたトランクルーム型の店舗販売が見込まれる優れた効果が得られる。
【発明を実施するための最良の形態】
【００２３】
本発明に係る立体格納装置における立体収納庫の前面に垂直昇降機構を装設し、格納スペース庫と昇降リフト装置との間を搬送パレットがスライド移動する構造を採用したことを最大の特徴とするもので、以下、本発明に係る立体格納装置の実施形態を図面に基づいて説明する。
【００２４】
図１は、本発明に関わる立体格納装置の基本構造を示す説明図である。
（ａ）図は、全体を示す透視斜視図。
立体収納庫１１は、所定高さ間隔で複数の格納スペース庫１４を多段状に配列形成し    た一般鉄骨建造物または枠体ユニット建造物で、通常の鉄筋建築工法の他に、基礎鉄    骨に格納スペース庫１４を重ねていくユニット工法で建造されることによって、建築    コストならびに工事日数が大幅に抑制できると共に格納スペース庫１４自体がトラス    構造を有するため、地震構造に強い立体格納装置１０とすることができる。
【００２５】
（ｂ）図は、ガイド機構部を示す詳細図。
昇降リフト装置２３のガイド支柱体側に設けられたガイド機構２４に付設される従動    ローラ体２８が、昇降駆動装置２２のチェーン２２ｂまたはワイヤ２２ｃに連結さ      れ、ガイド支柱体２１に設けられたガイド溝２３ｂに案内されて垂直昇降する構造を    有する。
【００２６】
垂直昇降機構２０は、昇降駆動装置２２と昇降リフト装置２３から成り、立体収納庫１１の前面に双設されるガイド支柱体２１に装備される。
【００２７】
昇降駆動装置２２は、昇降駆動モータ２２aと、チェーン２２ｂまたはワイヤ２２ｃから構成されるもので、昇降駆動源の搭載ベースは、少なくとも双設されるいずれかのガイド支柱体２１もしくは、立体収納庫１１の上面に付設配置される。
【００２８】
昇降リフト装置２３は、水平部の搬送パレット４０の受け台２３aと、垂直部のガイド機構２４で構成され、垂直部の昇降駆動装置２２のチェーン２２ｂまたはワイヤ２２ｃは従動ローラ体２８を介して連結される。尚、垂直昇降機構２０の構造は、本発明の技術的範囲に属する限り上記実施形態に何ら限定されることなく種々の手段を取り得ることができる。
【００２９】
ガイド支柱体２１は、立体収納庫１１の建築構造の一部を兼ねることもできるもので、ガイド支柱体２１には、垂直昇降機構２０の昇降駆動装置２２が内設され、昇降リフト装置２３が垂直方向に昇降することができるガイド構２３ｂを有する構造となっている。
【００３０】
水平搬送装置３０は、搬送パレット４０を格納スペース庫１４と昇降リフト装置２３との間をスライド移動させるものであって、図８で示すシリンダ送り機構やチェーン送り機構が考えられる。
【００３１】
搬送パレット４０は、水平搬送装置３０よって格納スペース庫１４と昇降リフト装置２３との間をスライド移動するものであって、搬送パレット４０の下部には、走行ローラ４０a、固定ロック装置４０ｂ、電磁弁引っ掛けツメ装置４０ｃ、押し戻し係止ブロック４０ｄ、リミットスイッチ４０eが付設されている。
【実施例１】
【００３２】
図２は、本発明に関わる立体格納装置の吊持式の実施形態を示す説明図である。
吊持式の垂直昇降装置２６は、立体収納庫１１の上部に設けられ、昇降駆動モータ２７と吊持式の昇降リフト装置２６aまたは吊りゴンドラ２９から成り、該吊持式の昇降リフト装置２６aまたは吊りゴンドラ２９のガイド支柱体側に設けられた従動ローラ体２８がガイド支柱体２１に設けられたガイド構２３ｂに案内されて昇降する構造を有する。
【００３３】
吊持式の昇降リフト装置２６aは、水平部の搬送パレット４０の受け台２３aと、垂直部のガイド機構２４で構成されるもので、垂直部は、ガイド支柱体２１に設けられたガイド構２３ｂに案内される従動ローラ体２８によって保持されると共にガイド機構２４の一部が吊持式の垂直昇降装置２６のワイヤ２２ｃに連結され、昇降駆動モータ２７によって昇降する構造を有する。
【００３４】
吊りゴンドラ２９は、水平部の搬送パレット４０の受け台２３aと、垂直部のガイド機構２４で構成されるもので、垂直部は、ガイド支柱体２１に設けられたガイド構２３ｂに案内される従動ローラ体２８によって保持されると共に吊りゴンドラ２９のガイド機構２４の一部が吊持式の垂直昇降装置２６のワイヤ２２ｃに連結され、ローラ付片持ち吊りアーム２５を介して昇降駆動モータ２７によって昇降する構造を有する。
【００３５】
（ａ）図は、昇降リフト装置仕様を示す透視斜視図。
吊持式の垂直昇降装置２６が、立体収納庫１１の上面に設けられた昇降駆動モータ      ２７のワイヤ２２ｃで吊持されて昇降する吊持式の昇降リフト装置２６aから成る。
【００３６】
（ｂ）図は、吊りゴンドラ仕様を示す透視斜視図。
吊持式の垂直昇降装置２６が、立体収納庫１１の上面に設けられた昇降駆動モータ      ２７にローラ付片持ち吊りアーム２５を介してワイヤ２２ｃで吊持されて昇降する吊    りゴンドラ２９から成る。
【００３７】
（ｃ）図は、ガイド機構部を示す詳細図。
吊持式の昇降リフト装置２６aまたは吊りゴンドラ２９のガイド支柱体側に設けられ    たガイド機構２４に付設された従動ローラ体２８が、ガイド支柱体２１に設けられた    ガイド溝２３ｂに案内されて高速で垂直昇降するもので、高層マンションや高層ビル    の立体駐車装置１２として車両Ｃの入れ替え時間を大幅に短縮する構造を有する。
尚、吊持式の垂直昇降装置２６の構造は、本発明の技術的範囲に属する限り上記実施    形態に何ら限定されることなく種々の手段を取り得ることができるものであり、例え    ば、昇降リフト装置２３内に垂直昇降装置２６を設けて昇降する手段やラックとピニ    オンを利用した昇降手段やリニアモータを利用した昇降手段などが考えられる。
【実施例２】
【００３８】
図３は、本発明に関わる立体格納装置の別の実施形態を示す説明図である。
昇降リフト装置２３内に水平搬送装置３０を設けることによって、駆動源の設置数が垂直昇降装置２２の昇降駆動モータ２２a一基と昇降リフト装置２３内のシリンダ３１の一基の最小個数で構成され、従来型と比べて極めて簡単構造の立体格納装置１０となる。製造コストの低廉ならびに構造の簡素化、軽量化が図られる構造を有する。尚、図示はしていないが、吊持式の昇降リフト装置２６aならびに吊りゴンドラ２９内に水平搬送装置３０を設けることもできる構造を有する。
【実施例３】
【００３９】
図４は、本発明に関わる立体格納装置を立体駐車装置とした状態を示す説明図である。
（ａ）図は、単列仕様を示す。（ｂ）図は、重列仕様を示す。
本発明の立体駐車装置５０は、駐車スペース庫５１を有する立体収納庫１１と垂直昇    降機構２０と水平搬送装置３０と搬送パレット４０とから成り、一階床面スペースを    多目的に利用できるピロティ型の立体駐車装置５０としてある。
【００４０】
図５は、本発明に関わる立体駐車装置の入庫時の作動状態を示す説明図である。
(ａ) 昇降リフト装置２３が二階の位置で待機している状態の立体駐車装置５０に一台目    の車両Ｃが入庫しようとする。
(ｂ)車両Ｃは、そのまま一階の駐車スペース庫５１に入庫する。
(ｃ)立体駐車装置５０に二台目の車両Ｃが入庫しようとすると、二階の駐車スペース庫      ５１から昇降リフト装置２３に水平搬送装置３０よって搬送パレット４０が搬送され    る。
(ｄ) 搬送パレット４０を載せた昇降リフト装置２３が一階まで下降する。
(ｅ) 昇降リフト装置２３に二台目の車両Ｃを乗り入れる。
(ｆ) 車両Ｃと搬送パレット４０を載せた昇降リフト装置２３が二階まで上昇する。
(ｇ) 車両Ｃと搬送パレット４０が水平搬送装置３０よって駐車スペース庫５１に搬送さ    れる。
(ｈ) 空になった昇降リフト装置２３は、二階の位置で待機する。さらに、立体駐車装置    ５０に三台目の車両Ｃが入庫しようとする。
(ｉ) 空の昇降リフト装置２３が三階まで上降して、搬送パレット４０が水平搬送装置３    ０よって搬送された後、昇降リフト装置２３は、一階まで下降する。
(ｊ) 搬送パレット４０を載せた昇降リフト装置２３に三台目の車両Ｃを乗り入れる。
(ｋ) 昇降リフト装置２３が、三階まで上昇する。
(ｌ) 車両Ｃと搬送パレット４０を水平搬送装置３０によって駐車スペース庫５１に搬送    される。さらに一時期的に荷物や車両Ｃを昇降リフト装置２３に載せた状態で保管す    ることもできる。
【００４１】
図６は、本発明に関わる立体駐車装置の出庫時の作動状態を示す説明図である。
(ａ)空の昇降リフト装置２３が二階の位置で待機している状態で三階の車両Ｃが出庫し      ようとする。
(ｂ) 空の昇降リフト装置２３が三階まで上昇し、水平搬送装置３０よって車両Ｃと搬      送パレット４０が搬送される。
(ｃ)車両Ｃと搬送パレット４０を載せた昇降リフト装置２３は一階まで下降する。
(ｄ) 車両Ｃが出庫した後、搬送パレット４０を載せた昇降リフト装置２３が三階まで上    昇し、搬送パレット４０は水平搬送装置３０によって駐車スペース庫５１に搬送され    る。
(ｅ)二階まで下降して待機の状態を維持して終了する。
【００４２】
図７は、本発明に関わる立体駐車装置の設置形別の使用状態を示す説明図である。
(ａ) ピロティ型の立体駐車装置５０となっているため、一階床面スペースをアーケード    付の通路や多目的空間として利用できる使用状態を示す。
(ｂ)入庫方向を建物や土地の形状および道路の事情によって縦入れ、横入れ自由に選択      できる使用状態を示す。
(ｃ) 昇降リフト装置２３の昇降移動空間部下方の安全を確保するため、赤外線やレーザ    ー光を使って安全センサＳを取り付けることができる使用状態を示す。
(ｄ) 立体駐車装置５０をマンションＭやビルの鉄筋に連結して設置することで、建築費    用のコストダウンが図られると共に、最終床面積が車両一台分の車庫スペースがあれ    ば、マンションＭの住民が使用できる高層の立体駐車装置５０の建設が可能になる使    用状態を示す。
【００４３】
図８は、本発明に関わる水平搬送装置の実施形態を示す説明図である。
（ａ）移動・搬送手段にシリンダ３１を用いた実施形態を示す上から見た説明図である。
搬送パレット４０の移動ストローク量に対してシリンダ３１の伸縮ストローク量を確    保する使用状態を示す。
【００４４】
（ｂ）移動・搬送手段にシリンダ３１を用いた実施形態を示す側面から見た説明図であ      る。
搬送パレット４０の裏面には、走行ローラ４０a 、固定ロック装置４０ｂ、押し戻し    係止ブロック４０ｄ、リミットスイッチ４０eが付設され、押し戻し係止ブロック４    ０ｄを移動ストローク方向に複数設け、リミットスイッチ４０eによってタイミング    を認識し、電磁弁引っ掛けツメ装置４０ｃを出し入れして押し戻し係止ブロック４０    ｄに引っ掛け、順次・段階的にシリンダ３１の押し戻しを繰り返し、搬送パレット４    ０の移動ストローク量をシリンダ３１の伸縮ストローク量内で確保するようにした。  
【００４５】
(ｃ) 移動・搬送手段に搬送チェーン４０ｆを用いた実施形態を示す上から見た説明図で    ある。
搬送パレット４０の移動ストローク量に対して搬送チェーン４０ｆによる移動ストロ    ーク量を確保する使用状態を示す。
【００４６】
(ｄ) 移動・搬送手段に搬送チェーン４０ｆを用いた実施形態を示す側面から見た説明図    である。
搬送パレット４０の裏面には、走行ローラ４０a 、固定ロック装置４０ｂ、押し戻し    係止溝４０ｈ、リミットスイッチ４０eが付設され、搬送チェーン４０ｆの側面に押    し戻しアーム４０ｇを付設してリミットスイッチ４０eによってタイミングを認識      し、電磁弁引っ掛けツメ装置４０ｃを出し入れして押し戻し係止溝４０ｈに引っ掛け    ることによって、押し戻しアーム４０ｇの長さ分だけ搬送チェーン４０ｆの送り量を    短くし、搬送パレット４０の移動ストローク量を確保するようにした。尚、水平搬送    装置３０の構造は、本発明の技術的範囲に属する限り上記実施形態に何ら  限定され    ることなく種々の手段を取り得ることができる。
【実施例４】
【００４７】
図９は、本発明に関わる立体格納装置をトランクルーム型の立体倉庫の入れ替え装置とした実施形態を示す説明図である。
保管・収納する物品によって、常温で保存する「常温倉庫」、美術品などのため 空調・ 湿度調整を備えた「定温・定湿庫」、食品を保管する「  冷蔵・ 冷凍倉庫」などに大分される。また、輸入食品などを消毒する燻蒸庫を備えた倉庫や、危険品など物品によってはさらに防火や防水対策などが強化された倉庫もある。特に需要が高いと思われる大型レジャー施設や高層商業ビルの大型レストランやスーパーマーケットやデパートの魚肉野菜類の保管・在庫に利用されるもので、チルド冷凍庫、保冷庫、冷蔵庫、氷温庫、野菜保冷庫など大量・多種の保存食材の入れ替えを可能にしたトランクルーム型の倉庫６０として使用することができるものである。また、その他在庫商品を利用して業務を営む業種、例えば、材木店、鉄工所、家具店、新車デェーラー、レンタカー店などの入れ替え式の倉庫やショールームとして利用することができる構造を有する。
【実施例５】
【００４８】
図１０は、本発明に関わる立体格納装置をトランクルーム型の店舗の立体入れ替え装置とした実施形態を示す説明図である。
店舗経営者（店舗オーナー）が同一人で一日の時間帯によって異なった業種の店舗営業を行うことができるもので、一階部で不特定多数客を対象にトランクルーム型の店舗経営を可能にするものである。例えば一階はスタンドバー、二階は居酒屋、三階はマージャン店、四階はカラオケボックスなどの多様な業種の時間割り店舗営業が可能になる構造を有する。
【実施例６】
【００４９】
図１１は、本発明に関わる立体格納装置をトランクルーム型の店舗の立体入れ替え装置とした別の実施形態を示す説明図である。
店舗経営者（店子オーナー）が複数で同時間帯に異なった業種の店舗営業を行うことができるもので、側面に階段を設けることにより各階において不特定多数客を対象にトランクルーム型の店舗営業を可能にするものである。例えば、画廊、展示会場、貸しスタジオ,写真館、取次店、占い業、案内所、趣味専門店、ペットホテル、カプセルホテル、コインランドリー、カルチャー教室、本・ビデオ販売店、輸入雑貨店、お土産店、質屋、チケット販売店などに利用することができる構造を有する。
以上のように、トランクルーム型の店舗形状は、立体駐車装置１２と比べて重量的に軽量であるため、比較的広い床面積をもったトランクルーム型の店舗の提供が可能となる構造を有する。
【産業上の利用可能性】
【００５０】
本発明の立体格納装置は、立体駐車装置として製造・販売することはもとより、これまでにないレンタル形態も含めたトランクルーム型の倉庫ならびに店舗として商業展開が可能となるもので、本発明の立体格納装置は、産業上の利用可能性は極めて高いと解される。
【図面の簡単な説明】
【００５１】
【図１】図１は、本発明に関わる立体格納装置の基本構造を示す説明図である。
【図２】図２は、本発明に関わる立体格納装置の吊持式の実施形態を示す説明図である。
【図３】図３は、本発明に関わる立体格納装置の別の実施形態を示す説明図である。
【図４】図４は、本発明に関わる立体格納装置を立体駐車装置とした状態を示す説明図で        ある。
【図５】図５は、本発明に関わる立体駐車装置の入庫時の作動状態を示す説明図である。
【図６】図６は、本発明に関わる立体駐車装置の出庫時の作動状態を示す説明図である。
【図７】図７は、本発明に関わる立体駐車装置の設置形別の使用状態を示す説明図であ          る。
【図８】図８は、本発明に関わる水平搬送装置の実施形態を示す説明図である。
【図９】図９は、本発明に関わる立体格納装置をトランクルーム型の立体倉庫の入れ替え        装置とした実施形態を示す説明図である。
【図１０】図１０は、本発明に関わる立体格納装置をトランクルーム型の店舗の立体入れ        替え装置とした実施形態を示す説明図である。
【図１１】図１１は、本発明に関わる立体格納装置をトランクルーム型の店舗の立体入れ        替え装置とした別の実施形態を示す説明図である。
【符号の説明】
【００５２】
１０    立体格納装置
１１    立体収納庫
１２    立体駐車装置
１３    枠体構造物入れ替え装置
１４    格納スペース庫
２０    垂直昇降機構
２１    ガイド支柱体
２２    昇降駆動装置
２２ａ  昇降駆動モータ
２２ｂ  チェーン
２２ｃ  ワイヤ
２３    昇降リフト装置
２３ａ  受け台
２３ｂ  ガイド溝
２４    ガイド機構
２５    ローラ付片持ち吊りアーム
２６    吊持式の垂直昇降装置
２６a   吊持式の昇降リフト装置
２７    昇降駆動モータ
２８    従動ローラ体
２８a   付勢バネ
２９    吊りゴンドラ
３０    水平搬送装置
３１    シリンダ
４０    搬送パレット
４０ａ  走行ローラ
４０ｂ  固定ロック装置
４０ｃ  電磁弁引っ掛けツメ装置
４０ｄ  押し戻し係止ブロック
４０e   リミットスイッチ
４０f   搬送チェーン
４０g   押し戻しアーム装置
４０ｈ  押し戻し係止溝
５０    立体駐車装置
５１    駐車スペース庫
６０    トランクルーム型の倉庫
７０    トランクルーム型の店舗
Ｃ      車両
Ｓ      安全センサ
N      荷物
Ｍ      マンション
Ｋ      階段
Ｐ      ピロティ
【図１】
2009180081.tif 000003
【図２】
2009180081.tif 000004
【図３】
2009180081.tif 000005
【図４】
2009180081.tif 000006
【図５】
2009180081.tif 000007
【図６】
2009180081.tif 000008
【図７】
2009180081.tif 000009
【図８】
2009180081.tif 000010
【図９】
2009180081.tif 000011
【図１０】
2009180081.tif 000012
【図１１】
2009180081.tif 000013